(57)【要約】【課題】光ファイバ保護カバーを必要としないで、外部衝撃から光ファイバ素線２２を保護することができる巻き付け型光ファイバケーブルを提供するものである。【解決手段】長手方向にスリットが設けられたスペーサ２と、該スペーサ２のスリット３に収納された光ファイバ４と、該光ファイバ４を収納したスリット３の開口部を覆った覆い体５と、該覆い体５の外周に設けられた保護層７とを備えてなり、前記覆い体５は硬質物で形成されていることを特徴とするものである。【選択図】    図１
2004205719.tif 000002
【特許請求の範囲】
【請求項１】
長手方向にスリットが設けられたスペーサと、該スペーサのスリットに収納された光ファイバと、該光ファイバを収納したスリットの開口部を覆った覆い体と、該覆い体の外周に設けられた保護層とを備えてなり、前記覆い体は硬質物で形成されていることを特徴とする巻き付け型光ファイバケーブル。
【請求項２】
覆い体は、スリットの開口部と共にスペーサ外周も覆っていることを特徴とする請求項１記載の巻き付け型光ファイバケーブル。
【請求項３】
スペーサおよび覆い体がアルミまたはＦＲＰで形成されていることを特徴とする請求項１または請求項２記載の巻き付け型光ファイバケーブル。
【発明の詳細な説明】
【０００１】
【発明の属する技術分野】
本発明は、巻き付け型光ファイバケーブルに関するものであり、特に外部衝撃対策を施した巻き付け型光ファイバケーブルに関するものである。
【０００２】
【従来の技術】
現在、架空送電線分野においても光ファイバを使って情報を伝達することが行われており、光ファイバを架空送電線に適用するための実施形態としては、二つの形態がある。
【０００３】
その一つは架空地線に光ファイバを内臓させた光ファイバ内蔵型架空地線（ＯＰＧＷ）であり、他の一つは既設の架空地線の外周に、光ファイバケーブルを所定のピッチで巻き付ける、いわゆる巻き付け型光ファイバケーブル（ＧＷＷＯＰ）である。
【０００４】
光ファイバ内蔵型架空地線（ＯＰＧＷ）は、光ファイバをアルミ被覆鋼撚り線等からなる架空地線の内部に内蔵させた構造である。このように、光ファイバ内蔵型架空地線においては、光ファイバがアルミ被覆鋼撚り線等からなる架空地線の内部に内蔵されているため、光ファイバは外からの衝撃に対しては非常に強いという利点があるが、一旦光ファイバに断線等があると、その修理補修が困難で架空地線全体を張替えなければならないという問題がある。
【０００５】
一方、巻き付け型光ファイバケーブル（ＧＷＷＯＰ）は、既設の架空地線を利用して迅速にしかも低コストで情報伝達システムを構築できると共に点検・保守等が容易であるという利点があるが、外部衝撃に弱いという問題があった。
【０００６】
すなわち、図４に示すように、従来の巻き付け型光ファイバケーブル２０は、ＦＲＰロッド等からなるテンションメンバ２１の周りに光ファイバ素線２２を撚り合わせ、その外周に遮熱テープを巻き付けて遮熱層２３を形成し、その外周に耐熱性のフッソ樹脂層２４を形成した構造であり、この巻き付け型光ファイバケーブル２０は、図５に示すように架空地線３０の外周に所定のピッチで巻き付けて使用するものである。
【０００７】
上記のように、従来の巻き付け型光ファイバケーブル２０は光ファイバ素線２２の外周が樹脂層で覆われた構造であるため、外部衝撃、例えばカラスの嘴でつつかれる、飛来物が衝突する等の外部衝撃によって光ファイバ素線２２が断線する等の問題があった。
【０００８】
上記問題を解決するために、特許文献１に記載されているように、外周に光ファイバケーブルを巻き付けた架空電線を鉄塔に引き留めてなる鉄塔付近の架空電線の外周に光ファイバ保護カバーを装着したものがある。
【０００９】
【特許文献１】特開平８−２８０１２４号
【００１０】
【発明が解決しようとする課題】
このように、鉄塔付近の架空電線の外周に光ファイバ保護カバーを装着すると、鉄塔付近の光ファイバケーブルを、カラスの害から守ることが出来るが、保護カバーが無い部分の光ファイバケーブルは保護できないという問題があった。
【００１１】
そこで光ファイバケーブルを広範囲に保護するために、保護カバーを鉄塔付近だけではなく広範囲に装着することが考えられるが、このようにすると風圧が増加するという問題があると共に保護カバーと光ファイバケーブルの接触部分が増加し、振動などで保護カバーが振れると光ファイバケーブルが磨耗・損傷しやすくなるという問題があった。
【００１２】
【課題を解決するための手段】
本発明は上記課題を解決した巻き付け型光ファイバケーブルを提供するもので、その構成は、長手方向にスリットが設けられたスペーサと、該スペーサのスリットに収納された光ファイバと、該光ファイバを収納したスリットの開口部を覆った覆い体と、該覆い体の外周に設けられた保護層とを備えてなり、前記覆い体は硬質物で形成されていることを特徴とするものである。
【００１３】
覆い体は、スリットの開口部と共にスペーサ外周も覆っておくことが好ましい。
【００１４】
また、スペーサおよび覆い体はアルミまたはＦＲＰで形成することが好ましい。
【００１５】
上記のように、スペーサのスリットに光ファイバを収納し、該スリットの開口部を硬質物の覆い体で覆うと、光ファイバを硬質物の覆い体で保護することができる。このために光ファイバを外部衝撃から守ることができる。
【００１６】
覆い体で、スリットの開口部と共にスペーサ外周も覆っておくと、光ファイバを大きな外部衝撃から守ることができる。
【００１７】
また、スペーサおよび覆い体をアルミまたはＦＲＰで形成すると、光ファイバを大きな外部衝撃から守ることができる。
【００１８】
【発明の実施の形態】
以下本発明の実施形態を図面を参照して詳細に説明する。
図１は本発明に係る巻き付け型光ファイバケーブルの断面図、図２は図１の要部拡大断面図である。
【００１９】
この巻き付け型光ファイバケーブル１は、スペーサ２と、該スペーサ２のスリット３に収納された光ファイバ４と、該光ファイバ４が収納されたスペーサ２のスリット３を覆った覆い体５と、該覆い体５の外周に形成された保護層７とを備えている。
【００２０】
スペーサ２は、アルミ又はＦＲＰ等の樹脂で形成されており、長手方向にスリット３が形成されている。スリット３は、スペーサ２の外周の４箇所に等間隔で設けられていると共に長手方向に螺旋状に形成されており、かつ底が角ばって形成されている。なお、スリットの底の形状は丸みを持って形成してもよい。
【００２１】
スリット３には、光ファイバ４が収納されている。なお本発明において光ファイバ４とは、光ファイバ素線、該光ファイバ素線を撚り合わせた光ファイバユニット、該光ファイバユニットに被覆を被せた光ファイバケーブル等指すものである。実施例においては、６芯の光ファイバユニット４が各スリット３内に収納されている。
【００２２】
スリット溝３の開口部には、段部６が形成されており（図２参照）、該段部６に覆い体５が取り付けられている。これによってスリット溝３の開口部が閉じられている。覆い体５は、アルミ等の金属またはＦＲＰ等の樹脂で作られている。段部６の深さは覆い体５の厚さに略等しくしてある。これによって覆い体５の外周とスペーサ２の外周が滑らかに接するようになり、後述する保護層７の形成が容易になる。
【００２３】
覆い体５及びスペーサ２の外周にはフッソ樹脂等の耐熱性樹脂の保護層７が形成されている。
【００２４】
上記構成の巻き付け型光ファイバケーブルは、架空地線等の外周に所定のピッチで巻き付けて使用するが、スペーサ２のスリット３に光ファイバ４を収納し、スリット３の開口部を硬質物の覆い体５で覆うため、光ファイバ４を外部衝撃から守ることができる。
【００２５】
図３は本発明に係る巻き付け型光ファイバケーブルの他の実施形態を示す断面図である。
この巻き付け型光ファイバケーブルは、スペーサ２と、該スペーサ２のスリット３に収納された光ファイバ４と、該光ファイバ４が収納されたスペーサ２のスリット３を覆った覆い体５と、該覆い体５の外周に形成された保護層７とを備えている点は前記実施形態と同じであるが、スリット３の数が３個である点、スリット３の底面が円弧状である点、覆い体５はスペーサ２のスリット３部分のみでなく、スペーサ２の外周も覆っている点で前記実施例と相違している。
【００２６】
覆い体５は、半円形状の二つ割型で、アルミまたはＦＲＰ等で形成されており、スペーサ２のスリット３部分及びスペーサ２の外周部分を覆って取り付けられている。この覆い体５はスリット３部分及びスペーサ２の外周部分を覆って取り付けた際、二つ割型の接合面５１が相互に嵌合するように、接合面５１には凹凸部が形成されている。この接合面５１は接着等をせずに滑りが生じるようにしておくと、架空地線等に巻き付ける際に巻き付けやすくなって好ましい。
【００２７】
なお、上記実施形態においては、覆い体５を半円形状の二つ割型にしたが、覆い体５は三つ割型、四つ割り型等としてもよい。また覆い体５はパイプ状に一体化した構造としてもよい。
【００２８】
このように、覆い体５でスペーサ２のスリット３部分のみでなく、スペーサ２の外周も覆うと、光ファイバ４を強い外部衝撃から守ることができる。
【００２９】
【発明の効果】
以上のように、本発明に係る巻き付け型光ファイバケーブルは、スペーサのスリットに光ファイバを収納し、該スリットの開口部を硬質物の覆い体で覆う構造であるため、光ファイバを外部衝撃から守ることができる。また従来のように保護カバーを必要としないので風圧を増加させることがなく、しかも保護カバーで架空地線等に巻き付けた光ファイバケーブルを損傷させるという問題も生じない。
【図面の簡単な説明】
【図1】本発明に係る巻き付け型光ファイバケーブルの一実施形態を示す断面図。
【図2】図１の要部拡大断面図。
【図3】本発明の他の実施形態を示す断面図。
【図４】従来の巻き付け型光ファイバケーブルの一実施形態を示す断面図。
【図５】巻き付け型光ファイバケーブルの使用状態を示す正面図。
【符号の説明】
１    巻き付け型光ファイバケーブル
２    スペーサ
３    スリット
４    光ファイバ
５    覆い体
７    保護層
【図１】
2004205719.tif 000003
【図２】
2004205719.tif 000004
【図３】
2004205719.tif 000005
【図４】
2004205719.tif 000006
【図５】
2004205719.tif 000007